(57)【要約】閉止された側面とアパーチャされた上部とを有する第１の側面と第２の側面を含む、開閉自在な保存用袋体であって、上部近傍に第１の閉止部材が設けられ、当該側面の少なくとも一つのアパーチャの周りに第２の閉止要素が提供され、第１の閉止部材が閉止された後で、当該袋体から空気を抜くことができる袋体。
2005531471.tif 000002
【特許請求の範囲】
【請求項１】
下部エッジ、左エッジ、右エッジ、及び上部エッジを有する第１の側面と、下部エッジ、左エッジ、右エッジ、及び上部エッジを有する第２の側面と、を備え、前記第１と前記第２の側面の下部エッジが互いに接着され、前記第１と前記第２の側面の左エッジが互いに接着され、前記第１と前記第２の側面の右エッジが互いに接着された開閉自在な保存用袋体であって、
前記第１と前記第２の側面の上部エッジ近傍に設けられた第１の閉止部材と、
前記第１と前記第２の側面の少なくとも一方に設けられたアパーチャと、
前記アパーチャを取り囲む第２の閉止要素と、
を備える、
開閉自在な保存用袋体。
【請求項２】
前記第２の閉止要素が、前記第２の側面の内面の前記アパーチャ周りに位置決めされた雄型閉止部材と係合するための、前記第１の側面の内面の前記アパーチャ周りに位置決めされた雌型閉止部材を含む、請求項１に記載の開閉自在な保存用袋体。
【請求項３】
前記第２の閉止要素が、前記第２の側面の内面の前記アパーチャ周りに位置決めされた接着材料と係合するための、前記第１の側面の内面の前記アパーチャ周りに位置決めされた接着材料を含む、請求項１に記載の開閉自在な保存用袋体。
【請求項４】
前記第２の閉止要素が、前記アパーチャの近傍で前記第１の側面の外面に取付けられたべースタブを含み、該タブが前記第１の側面の前記外面の前記アパーチャ周りに位置決めされた閉止部材と係合するための別の閉止部材を有する、請求項１に記載の開閉自在な保存用袋体。
【請求項５】
前記雄型閉止部材と前記雌型閉止部材が円形である、請求項２に記載の開閉自在な保存用袋体。
【請求項６】
前記雄型閉止部材と前記雌型閉止部材が半円形である、請求項２に記載の開閉自在な保存用袋体。
【請求項７】
前記接着材料が円形である、請求項３に記載の開閉自在な保存用袋体。
【請求項８】
前記接着材料が半円形である、請求項３に記載の開閉自在な保存用袋体。
【請求項９】
前記閉止部材が円形である、請求項４に記載の開閉自在な保存用袋体。
【請求項１０】
前記閉止部材が半円形である、請求項４に記載の開閉自在な保存用袋体。
【請求項１１】
前記第２の閉止要素が、前記第２の側面の内面の前記アパーチャの周りに位置決めされたフック／ループ式ファスナーの第２のパッチと係合するための、前記第１の側面の内面の前記アパーチャの周りに位置決めされたフック／ループ式ファスナーの第１のパッチを含む、請求項１に記載の開閉自在な保存用袋体。
【請求項１２】
前記第２の閉止要素がピンチ／シール式ファスナーである、請求項４に記載の開閉自在な保存用袋体。
【請求項１３】
前記第２の閉止要素がフック／ループ式ファスナーである、請求項４に記載の開閉自在な保存用袋体。
【請求項１４】
前記第２の閉止要素が接着ファスナーである、請求項４に記載の開閉自在な保存用袋体。
【請求項１５】
前記フック／ループ式ファスナーの前記第１と前記第２のパッチが円形である、請求項１１に記載の開閉自在な保存用袋体。
【請求項１６】
前記フック／ループ式ファスナーの前記第１と前記第２のパッチが半円形である、請求項１１に記載の開閉自在な保存用袋体。
【請求項１７】
前記第２の閉止要素が、前記アパーチャから延出するステムと、該ステムに接合するよう構成された着脱自在なキャップと、を含む、請求項１に記載の開閉自在な保存用袋体。
【請求項１８】
開閉自在な保存用袋体から空気を抜く方法であって、
第１の側面エッジと第２の側面エッジに沿って互いに接続された第１の側面と第２の側面を有する、袋体を提供するステップであって、前記袋体が上部と下部とを更に含み、該下部が閉止され、該上部が前記第１の側面と前記第２の側面の上部エッジの近傍に設けられた第１の閉止部材を用いて開閉可能に構成され、前記袋体が、前記第１の側面と前記第２の側面の少なくとも一方に設けられた一つのアパーチャと、該アパーチャと作動的に対応するシール可能な弁と、を更に含むステップと、
前記側面の前記上部に位置決めされた前記第１の閉止部材を用いて前記袋体を閉止するステップと、
前記アパーチャと対応する前記弁を開くステップと、
前記アパーチャと前記弁とを介した空気の流路を作るための、前記袋体を圧縮するステップと、
前記アパーチャを囲僥する前記弁部材を再係合して、シールを形成するステップと、
を有する、
開閉自在な保存用袋体から空気を抜く方法。
【請求項１９】
前記再係合ステップが、雄型の閉止ストリップと雌型の閉止ストリップを共に挟んで圧迫するステップを含む、請求項１８に記載の方法。
【請求項２０】
前記再係合ステップが第１の接着ストリップと第２の接着ストリップを共に挟んで圧迫するステップを含む、請求項１８に記載の方法。
【請求項２１】
前記再係合ステップが、フック／ループ式ファスナーの第１のパッチと第２のパッチを共に挟んで圧迫するステップを含む、請求項１８に記載の方法。
【請求項２２】
前記再係合ステップが、前記アパーチャから延出するステムにキャップを再接続するステップを更に含む、請求項１８に記載の方法。
【請求項２３】
下部エッジ、左エッジ、右エッジ、及び上部エッジを有する第１の側面と、下部エッジ、左エッジ、右エッジ、及び上部エッジを有する第２の側面と、を備え、前記第１と前記第２の側面の下部エッジが互いに接着され、前記第１と前記第２の側面の左エッジが互いに接着され、前記第１と前記第２の側面の右エッジが互いに接着された開閉自在な保存用袋体であって、
前記第１と前記第２の側面の上部エッジ近傍に設けられた第１の閉止部材と、
前記第１の閉止部材がシールされた後に前記袋体から空気を抜く手段であって、第１の閉止要素と第２の閉止要素によって囲僥された少なくとも一つのアパーチャを含む手段と、
を備える、
開閉自在な保存用袋体。
【請求項２４】
前記第１の閉止要素と前記２の閉止要素が、ピンチ／シール式ファスナーである、請求項２３に記載の開閉自在な保存用袋体。
【請求項２５】
前記第１の閉止要素と前記２の閉止要素が、フック／ループ式ファスナーである、請求項２３に記載の開閉自在な保存用袋体。
【請求項２６】
前記第１の閉止要素と前記２の閉止要素が、接着ファスナーである、請求項２３に記載の開閉自在な保存用袋体。
【請求項２７】
前記第１と前記２の閉止要素が、前記アパーチャから延出するステムと、該ステムと着脱自在に接続されるように構成されたキャップとを含む、請求項２３に記載の開閉自在な保存用袋体。
【発明の詳細な説明】
【技術分野】
【０００１】
本開示は、一般的には袋体に関し、特に、開閉自在な食品保存用袋体に関する。
【背景技術】
【０００２】
特に食品の保存に関する開閉自在保存用袋体は周知である。このような袋体は、一般的に、プラスチックフィルム製であり、縁部に沿って周囲をシールされた２つの側壁を有する。このような材料は液体不浸透性であり、比較的安価であり、内容物の識別が容易なように透明な形態に製造可能である。従って、プラスチック袋体は、食品保存用袋体の領域で選択される主要な製品になっている。
【０００３】
このような袋体は、開閉自在であり且つ実質的にシール可能であるのが一般的である。このような特徴を提供するための一般的な手法の１つでは、下縁部並びに第１及び第２の側縁部に沿って折曲げられた又はヒートシールされた第１及び第２の熱可塑性層を有する袋体の上縁部において、閉止部材を用いる。閉止部材は、本件出願人がジップロック（ZIPLOC）（登録商標）という商品名で提供しているもののように、組み合わされる雄型及び雌型の断面形状の形態で設けられてもよい。この雄型及び雌型の断面形状もプラスチックで製造されるのが一般的であり、雄型断面形状は、雌型断面形状の直線状の溝と噛み合うように構成された直線状のタブを含む。
【０００４】
上縁部の長手に沿って閉止部材をつまみながら横に引くことにより、雄型及び雌型の断面形状を接続し、袋体を閉止できる。このような動作は、ユーザの親指及び人差指を用いて、又は、本件出願人によってジップロック（登録商標）という商品名で提供されている袋体のように、雄型及び雌型断面形状に取り付けられたスライド要素を用いることにより、行うことができる。
【０００５】
このような袋体は、当初から今日までに非常な商業的成功をおさめているが、本件出願人はその提供する商品の改良を継続している。本件出願人が改良の余地があると認識している１つの領域には、袋体から排気する機能が含まれる。多くのプラスチック袋体の上部に見られる一次閉止は、気密シールを提供し、これによって、内容物の保存が容易になるが、閉止後に袋体に封入されたままの残存空気がバクテリアの成長を可能にし、それにより、その袋体が維持するよう意図された保存及び鮮度が阻害される。
【発明の開示】
【発明が解決しようとする課題】
【０００６】
排気用のアパーチャ及びこのアパーチャをシールするための第２の閉止手段、即ち、弁を有する袋体を提供することは、袋体技術における進歩となるであろう。この方法では、上述のように、袋体は、第１の閉止手段を用いて上部で閉止された後、袋体を圧迫し、アパーチャの周りの第２の閉止手段、即ち、弁をシールすることによって抜気可能である。
【課題を解決するための手段】
【０００７】
本開示の一つの態様によれば、左エッジ、下部エッジ、及び右エッジにおいて接着された第１の側面と第２の側面を有する保存用袋体が開示されている。上部エッジには第１の閉止部材が配置され、袋体を実質的にシールする。第１と第２の側面の少なくとも一つには、第２の閉止手段によって囲僥されるアパーチャが配置され、該第２の閉止手段は、アパーチャを実質的にシールする。
【０００８】
本開示の他の態様によれば、開閉自在な保存用袋体から空気を抜く方法が、左エッジ、下部エッジ、及び上部エッジで互いに接着された第１の側面と第２の側面を有する袋体の第１の閉止部材を密閉する工程と、当該袋体内のアパーチャに対応する弁を開く工程と、当該アパーチャを介して余剰空気を抜くために袋体を圧迫する工程と、弁部材を再係合して該アパーチャの周りにシールを形成する工程を有する。袋体から空気を抜く方法は、袋体に設けられ、該袋体が圧迫されると余剰空気を排出可能な少なくとも一つのアパーチャと、該アパーチャをシールするための第２の閉止要素即ち弁部材を用いる。
【０００９】
本発明のまた他の態様によれば、左エッジ、下部エッジ、及び右エッジで接着された第１の側面と第２の側面と、上部エッジ付近に設けられた第１の閉止手段と、当該第１の閉止部材がシールされた後に前記袋体から空気を抜く手段であって、該第１と第２の閉止要素によって囲僥される少なくとも一つのアパーチャを含む手段と、を備える保存用袋体が開示されている。
【００１０】
本発明で開示されている上記及び他の態様及び特徴は、添付図面と共に、以下の詳細な記述を参照することによって、より明確に理解されるであろう。
【発明を実施するための最良の形態】
【００１１】
本発明の開示に種々の修正及び別の構成を行ってよく、そのうちのいくつかの例示的な実施の形態が図示され、以下に詳細に示される。しかしながら、開示されている具体的な形態に本発明の開示を限定するものではなく、寧ろ、添付の請求の範囲によって定義付けられた本発明の精神及び範囲を逸脱することがない限り、全ての修正、別の構成、及び等価のものを含むことが意図されている。
【００１２】
ここで、図面、特に、図１を参照すると、本発明の開示に基づき構成された、開閉自在な保存用袋体が全体を通して参照番号１８で示されている。図１は、閉止位置での袋体１８を示す正面図であり、図２はアパーチャ位置での袋体を示す図１の線２−２に沿った断面図である。開閉自在な保存用袋体は略矩形形状を有するように図示されているが、本発明の教示が、限定はされないが、円形、円筒形、台形、又は多角形を含む他の形状を有する袋体に対して用いられても同等の効力を発揮することを理解されたい。更に、袋体１８は、ジップロック（ＺＩＰＬＯＣ（登録商標））という商品名で本件出願人によって販売されているような食品保存用袋体を主に参照することによって本明細書中に記述されているが、本発明の開示の教示が、限定はされないが、食品以外の腐りやすい物を保存するために使用される袋体、開閉自在であることを目的としない袋体等（これらの例に限定されない）の他の任意のタイプの袋体にも使用されることを理解されたい。
【００１３】
ここで、図１及び図２を参照すると、袋体１８は、第１の側面３８と第２の側面４４とを含み、各側面はその左エッジ２２、下部エッジ２０、及び右エッジ２４で接合されている。各側面３８、４４はまた、上部エッジ２６と、該上部エッジ２６を横切る第１の閉止装置２８と、を有する。図示される実施の形態において、左エッジ２２、下部エッジ２０、及び右エッジ２４はヒートシールによって接合されるが、ヒートシール、折り曲げ、又は任意の他の種類の接合が、エッジ２２、２０、及び２４のいずれにおいても使用され得ることを理解されたい。図２に示されるように、第１の閉止装置２８は、上部エッジ２６で袋体１８を閉止すべく互いに噛み合うように構成された、雄型断面ストリップ２７と雌型断面ストリップ２９とを含んでいてもよい。図示されている実施の形態において、雄型断面ストリップ２７は第２の側面４４の内面４２に接着され、雌型断面ストリップ２９は第２の側面４４の内面４２に接着され、雄型断面ストリップ２９は第１の側面３８の内面３６に接着されるが、接着剤、舌状ループ式ファスナー、裏折り可能な折り曲げ、ボタン、クリップ等（これらに限定されない）を含む他の形状の閉止装置が使用されてもよいことを理解されたい。他の形態の雄型断面（形状）及び雌型断面（形状）において、雄型断面は、タブと溝の組み合わせを一つだけ、又は線形タブを二つ以上、含むことができ、雌型断面はこれに対応する数の溝を有する。当業者には容易に理解されるであろうが、第１の閉止部材２７、２９は、親指と人差し指を使ったピンチ／シールモーション、即ち、指で押し挟んで密閉する動作を用いて接合され得る。このような圧力によって、部材２７、２９は、摩擦によって互いに交互に噛合い、これによって、袋体が実質的にシールされる。このようなジッパー機能を円滑にするためにスライダ（摺動体）を提供してもよい。
【００１４】
このように、袋体１８は、第１の閉止部材２７と２９が開いている時に上部エッジ２６間からアクセス可能な内部保存空間を有するように構成される。第１の閉止部材２７、２９が閉止された後、この袋体１８は実質的にシールされる。内部保存空間から空気などの余剰ガスを除去するために、側面２８、４４の一つ以上にアパーチャ３０を設けてよい。この構成によれば、ガスが袋体１８を圧縮するか、さもなければ、袋体１８を操作することによって、保存空間から強制的にガスを排出して、該保存空間からアパーチャ３０を介して余剰空気を大気中へ強制的に抜き出すことができる。
【００１５】
更に、図１と図２は、本発明の開示に基づいて構成されたアパーチャ３０を取り囲む第２の閉止要素３２を有する袋体１８を示す。図２に示されるように、アパーチャ３０は、袋体１８の第１の側面３８と第２の側面４４内に設けられる。両側面３８、４４上にはアパーチャ３０を囲僥する第２の閉止要素３２が設けられる。図示されている実施の形態において、第２の閉止要素３２は、第１の側面３８の内面３６上のアパーチャ３０周りで位置決めされた雌型閉止部材３４と、第２の側面４４の内面４２上のアパーチャ３０周りで位置決めされた雄型閉止部材４０とを含む。加えて、図３は、図１に示された第２の閉止要素３２とアパーチャ３０の拡大正面図を示す。図３は、アパーチャ３０を囲んだ状態の第２の閉止要素３２の位置をより具体的に示す。第１の閉止部材２８と同様に、第２の閉止要素３２の別の形態は、雄型断面（形状）と雌型断面（形状）とを含むことができ、雄型断面は、タブと溝の組み合わせを一組だけ、又は線形タブを二つ以上、有し、対（つい）となる雌型断面は対応する数の溝を有する。更に、雄型ストリップ２７と雌型ストリップ２９は、限定はされないが、共押出し加工、接着、超音波溶接、ラミネート等を含む種々の方法（これらに限定されない）で、第２の側面４４の内面４２と第１の側面３８の内面３６とへ、接着されてよい。
【００１６】
アパーチャ３０をシールするための機構は、除気の第１の閉止要素２７及び２９に関して説明されたピンチ／シール方法で作動し、これにより、アパーチャ３０が実質的にシールされる。従って、アパーチャ３０を介して余剰ガスを袋体１８から抜いた際、アパーチャ３０は第２の閉止部材３４、４０を用いてシールされ、袋体１８に空気が再入するのを防ぐことができる。
【００１７】
ここで、図４及び図５を参照すると、本発明の開示に基づき構成された開閉自在な保存用袋体が全体を参照番号４８として示されている。図４は、閉止状態の袋体４８を示す正面図であり、図５は、アパーチャ位置における袋体４８の図４の線３−３に沿った断面図である。図１及び図２に示される袋体１８と同様、図４及び図５に示される袋体４８は第１の側面６８と第２の側面６４とを含み、各側面は、その左エッジ５２、下部エッジ５０、及び右エッジ５４で接合されている。各側面６８、７４は、上部エッジ５６と、該上部エッジ５６を横切る第１の閉止装置５８と、を有する。図示される実施の形態において、左エッジ５２、下部エッジ５０、及び右エッジ５４はヒートシールによって接合されるが、ヒートシール、折り曲げ、又は任意の他の種類の接合が、エッジ５２、５０、及び５４のいずれにおいても使用され得ることを理解されたい。図５に示されるように、第１の閉止装置５８は、上部エッジ５６で袋体４８を閉止すべく噛み合うように構成された、雄型断面ストリップ５７と雌型断面ストリップ５９とを含んでよい。図示されている実施の形態において、雄型断面ストリップ５７は第２の側面７４の内面７２に接着され、雌型断面ストリップ５９は第１の側面６８の内面６６に接着されるが、他の形態の閉止装置が使用されてもよいことを理解されたい。
【００１８】
図４及び図５は、本発明の開示に基づいて構成された、アパーチャ６０を取り囲む第２の閉止要素６２を含む袋体の４８を更に示す。図５に示されるように、アパーチャ６０は袋体４８の第１の側面６８及び第２の側面７４内に設けられる。両側面６８及び７４上にはアパーチャ６０を囲僥する第２の閉止要素６３が設けられる。図示されている実施の形態において、第２の閉止要素６２は、第１の側面６８の内面６６上のアパーチャ６０周りに位置決めされた接着材料６４と、第２の側面７４の内面７２上のアパーチャ６０周りに位置決めされた接着材料７０とを含む。第２の閉止要素６２は、フック／ループ式ファスナー、即ち、ホック式ファスナー（但し、これに限定されない）を含む他の形態の閉止装置を含んでよい。加えて、第２の閉止要素６２は、種々の方法で、第２の側面７４の内面７２と第１の側面６８の内面６６のそれぞれに接着されてもよい。
【００１９】
図６及び図７を参照すると、本発明の開示に基づき構成された開閉自在な保存用袋体が全体を通して参照番号７８、９８として示されている。図６及び図７は、閉止位置にある袋体７８、９８を示す正面図である。図示されているように、袋体７８、９８は、左エッジ８２、１０２、下部エッジ８０、１００、及び右エッジ８４、１０４を含む。袋体７８、９８の両方において、上部エッジ８６、１０６に、図１乃至図４の袋体に関して説明された第１の閉止装置８８、１０８が設けられている。図１乃至図４に関して説明された他の形態の第１の閉止装置を用いてもよい。袋体７８、９８として図示されている実施の形態は、アパーチャ９０、１１０が、袋体７８、９８の右エッジ８４、１０４上に位置決めされた構成である。前述の実施の形態におけるように、これらの袋体７８、９８におけるアパーチャ９０、１１０は、袋体７８、９８の両側面を貫通して形成されるが、アパーチャ９０、１１０は袋体７８、９８のエッジ８４、１０４に位置決めされるので、アパーチャ９０、１１０を囲む第２の閉止要素９２、１０２は円形というより寧ろ半円形である。
【００２０】
図６及び図７によって示された袋体７８、９８は殆ど全ての点において同じである。袋体７８、９８における違いはそれぞれの第２の閉止要素に関してである。図６において、袋体７８は、袋体７８の一方の側面の内面のアパーチャ９０の周りに位置決めされた雌型閉止部材と、袋体の他方の側面の内面のアパーチャ９０の周りに位置決めされた雄型閉止部材から構成される。これらの第２の閉止要素９２は、図１及び図２に示された袋体１８に関して説明された第２の閉止要素３２に類似している。一方、図７は、袋体の一方の側面の内面のアパーチャ周りに位置決めされた接着材料と、袋体の他方の側面の内面のアパーチャ１１０周りに位置決めされた接着材料と、を有する第２の閉止要素１１２を含むように構成された袋体９８を示す。従って、これらの第２の閉止要素１１２は、図４及び図５に示された袋体４８について説明された第２の閉止要素６２に類似している。これらの第２の閉止要素は、フック／ループ式ファスナーなどの他の形態の閉止装置（これらに限定されない）を含む他の形態の閉止装置を含んでもよい。
【００２１】
ここで、図８を参照すると、本発明の開示に基づいて構成された開閉自在な保存用袋体が全体を通して参照番号１１８として示されている。図８は、アパーチャ位置での袋体１１８を示す断面図である。図１及び図２に示される袋体１８と同様に、図８に示された袋体１１８は、第１の側面１２４と第２の側面１２５とを含み、各側面がその左エッジ、下部エッジ、及び右エッジで接合されている。各側面は、上部エッジと、該上部エッジを横切る第１の閉止装置と、を有する。第１の閉止装置は、上部エッジで袋体１１８を閉止すべく噛み合うように構成された、雄型断面ストリップ１２１と雌型断面ストリップ１２３とを含んでいてもよい。図示されている実施の形態において、雄型断面ストリップ１２１は第２の側面１２５の内面に接着され、雌型断面ストリップ１２３は、第１の側面１２４の内面に接着されるが、他の形態の閉止装置が使用されてもよいことを理解されたい。
【００２２】
更に、図８は、第１の側面１２４の外面１２２に取り付けられたベースタブ１２０を有する袋体１１８を示す。図示されるように、ベースタブ１２０は、袋体１１８の第１の側面１２４のアパーチャ１２６の近傍に位置決めされると共に、アパーチャ１２６をシールするための第２の閉止要素１２８に対応して構成される。図８に示されるように、第２の閉止要素は、アパーチャ１２６の近傍のベースタブ１２０上に位置決めされた雌型閉止部材１２８を含む。雌型閉止部材１２８は、第１の側面１２４の外面１２２上のアパーチャ１２６周りに配置された雄型閉止部材１３０に係合することができるように位置決めされる。図１乃至図７に説明されている袋体と同様に、この構成によってアパーチャ１２６周りにシールが提供される。第１の閉止要素と同様に、他の形態の第２の閉止要素１２８、１３０を使用してもよい。
【００２３】
図９には、本発明の開示に基づき構成された別の実施の形態の開閉自在な保存用袋体が全体を参照番号１３８として示されている。図９は、アパーチャ位置での袋体１３８の断面図である。図８におけるように、図９の袋体１３８は、第１の側面１４４の外面１４２上に取り付けられたベースタブ１４０を含む。図示されているように、ベースタブ１４０は、袋体１３８の第１の側面１４４のアパーチャの近傍に位置決めされると共に、アパーチャ１４６をシールする第２の閉止要素１４８が設けられている。図８に示されるように、第２の閉止要素は、アパーチャ１４６の近傍のベースタブ１４０に位置決めされた接着材料１４８を含む。この閉止部材１４８は、接着材料から構成されると共に、第１の側面１４４の外面１４２のアパーチャ１４６周りに位置決めされた対応する第２の閉止部材１５０と係合するように位置決めされる。第２の閉止要素１４８、１５０は、限定はされないが、フック／ループ式ファスナーを含む他の形態の閉止装置を含んでいてもよい。上述された袋体と同様に、この構成によってアパーチャ１４６周りにシールが提供される。
【００２４】
ここで、図１０を参照すると、本発明の開示に基づいて構成された別の開閉自在な保存用袋体が全体を参照番号１５８として示されている。図１０は、閉止位置での袋体１５８を示す正面図であり、当該袋体１５８は、左エッジ１６２、下部エッジ１６０、及び右エッジ１６４を含む。上部エッジ１６６は第１の閉止装置１６８を有する。上述されるように、第１の閉止装置１６８は、上部エッジ１６６で袋体１５８を閉止すべく噛み合うように構成された、雄型断面ストリップと雌型断面ストリップとを含んでいてもよい。しかしながら、他の形態の閉止装置が使用されてもよいことを理解されたい。
【００２５】
更に、図１０及び図１１は、本発明の開示に基づいて構成されたアパーチャ１７０を取り囲む第２の閉止要素１７２を更に示す。この袋体１５８は、アパーチャ１７０が袋体１５８の第１の側面に配置されるように構成される。アパーチャ１７０から延出するステム１７４がアパーチャ１７０を囲僥する。また、着脱自在なキャップ１７６がステム１７４と接合するように設けられ、これによって、アパーチャ１７０がシールされる。
【００２６】
最後に、図１２には、本発明の開示に基づいて構成された、別の開閉自在な保存用袋体が全体を参照番号１７８として示されている。図１２は、左エッジ１８２、下部エッジ１８０、及び右エッジ１８４を含む袋体１７８を示す正面図である。図１２は、閉止位置にある上部エッジ１８６上の第１の閉止部材１８８と、アパーチャ位置にある第２のシール部材１９２とを更に示す。上述されるように、第１の閉止装置１８８は、上部エッジ１８６において袋体１７８を閉止すべく噛み合うように構成された、雄型断面ストリップと雌型断面ストリップとを含んでもよい。なお、他の形態の閉止装置が使用されてもよいことを理解されたい。
【００２７】
図１２に示された第２の閉止部材１９２は、第１の側面の外面１９３上に取り付けられたベースタブ１９２を含む。図示されているように、ベースタブ１９２は、袋体１７８の第１の側面内のアパーチャ１９０の周りに位置決めされ、フック／ループ式ファスナーの層１９４が設けられている。可動式のフラップ１９５は、ピボット１９７で袋体１７８に対してヒンジ式に取付けられると共に、フック／ループ式ファスナーの二つの層１９９を含む。従って、フラップ１９５は、フック／ループ式ファスナーからなる層１９４、１９９間を接着するように折り返すことができ、これにより、アパーチャ１９０が閉止される。
【００２８】
本発明の開示は、余剰空気を袋体から抜き出すアパーチャを取り囲む第２の閉止要素を有する開閉自在な保存用袋体の種々の実施の形態を提供する。具体的には、内容物を投入して第１の閉止部材を封止した後で、未使用の内部保存空間が圧縮されるか、或いは、操作され、袋体の側面の少なくとも一つに形成されたアパーチャを介して、内部空間から余剰空気を強制的に抜き出す。このように、袋体の中で捕捉された気体に掛かる圧力と組み合わされたアパーチャにより、余剰気体を排気可能な空気の流路を形成することができる。
【００２９】
更に、上述された実施の形態は、余剰空気を排出後これが再び袋体に入るのを防ぐようにアパーチャをシールする機構を提供する。本発明の開示に基づき提供される第２の閉止要素の多くは、第１の閉止要素に関して説明されたようなピンチ／シール式で動作する。具体的には、第２の閉止要素の雌型閉止部材を対応する雄型閉止部材と係合させることによって、アパーチャ周りにシールがもたらされる。同様に、第２の閉止要素に対して接着材料が用いられるところでは、これらの接着材料を互いに圧迫することによってアパーチャの周りにシールが提供される。更に、アパーチャから延出するステムに、これに固く嵌合するキャップを配置することを含むアパーチャシール手段も開示されている。上述のように、設けられた第２の閉止部材を係合することによって、余剰空気を抜き出すためのアパーチャが実質的にシールされることにより、気体が袋体を流出又は流入することが防止される。
【００３０】
いくつかの代表的な実施の形態と詳細な説明が、本発明を図解するために示されているが、当業者であれば、添付の請求の範囲に定義付けられている本発明の範囲を逸脱することがない限りは、本明細書中に開示されている方法及び装置に対して種々の変更が可能であることを容易に理解するであろう。
【図面の簡単な説明】
【００３１】
【図１】本発明の開示に基づき構成された、閉止状態の袋体を示す正面図である。
【図２】アパーチャ状態の第１と第２の閉止部材を示す図１の線２−２に沿った図１の断面図である。
【図３】図１に示された第２の閉止要素を示す拡大平面図である。
【図４】本発明で開示された教示に基づき構成された別の実施の形態による、閉止状態の袋体を示す正面図である。
【図５】アパーチャ状態の第１と第２の閉止部分を示す図４の線３−３に沿った図１の断面図である。
【図６】本発明で開示された教示に基づき構成された、さらに別の実施の形態による、閉止状態の袋体を示す正面図である。
【図７】本発明で開示された教示に基づき構成された、さらに別の実施の形態による、閉止状態の袋体を示す正面図である。
【図８】本発明で開示された教示に基づき構成された、さらに別の実施の形態による、アパーチャ状態の第１と第２の閉止部分を示す断面図である。
【図９】本発明で開示された教示に基づき構成された、さらに別の実施の形態による、アパーチャ状態の第１と第２の閉止部分を示す断面図である。
【図１０】本発明で開示された教示に基づき構成された、さらに別の実施の形態による、閉止状態の袋体を示す正面図である。
【図１１】図１０に示された第２の閉止要素を示す拡大分解図である。
【図１２】本発明で開示された教示に基づき構成された、さらに別の実施の形態による、袋体が閉止状態で第２の閉止部分が開口状態の正面図である。
【図１】
2005531471.tif 000003
【図２】
2005531471.tif 000004
【図３】
2005531471.tif 000005
【図４】
2005531471.tif 000006
【図５】
2005531471.tif 000007
【図６】
2005531471.tif 000008
【図７】
2005531471.tif 000009
【図１０】
2005531471.tif 000010
【図１１】
2005531471.tif 000011
【図１２】
2005531471.tif 000012
【図８】
2005531471.tif 000013
【図９】
2005531471.tif 000014
【国際調査報告】
2005531471.tif 000015
2005531471.tif 000016
2005531471.tif 000017